(57)【要約】【課題】  楽曲生成中に視覚的に単調になることを防止することができる「オーディオシステム」を提供すること。【解決手段】  ＣＤプレーヤ１００は、ＣＤ１０に収録された楽曲の再生を行う際にＣＤ１０のジャケット画像を表示する。また、ＣＤ１０にシングルカットされた楽曲が含まれている場合には、ＣＤプレーヤ１００は、ＣＤ１０のジャケット画像と、このシングルカットされた楽曲が収録されたシングルＣＤのジャケット画像とを切り替えながら表示する。これにより、一枚のジャケット画像のみが長時間に渡って表示されることがない。【選択図】        図１
2006065967.tif 000002
【特許請求の範囲】
【請求項１】
楽曲を再生してオーディオ信号を出力する楽曲再生手段と、
前記楽曲再生手段によって楽曲が再生中に、この楽曲が収録された第１の記録メディアに収録された他の楽曲を判定する楽曲判定手段と、
前記第１の記録メディアに対応する第１のジャケット画像を抽出するとともに、前記楽曲判定手段によって判定された前記他の楽曲の中で、シングルカットされた楽曲が存在するときに、このシングルカットされた楽曲が収録された第２の記録メディアに対応する第２のジャケット画像を抽出するジャケット画像抽出手段と、
前記第１の記録メディアに収録された複数の楽曲を再生中に、前記ジャケット画像抽出手段によって抽出された前記第１および第２のジャケット画像を表示するジャケット画像表示手段と、
を備えることを特徴とするオーディオシステム。
【請求項２】
請求項１において、
収録された各楽曲に対応するアーティスト名、各楽曲の曲名、対応するジャケット画像を複数の前記第１の記録メディアのそれぞれについて格納するとともに、収録された各楽曲に対応するアーティスト名、各楽曲の曲名、対応するジャケット画像を複数の第２の記録メディアのそれぞれについて格納する記録メディアデータベースをさらに備え、
前記楽曲判定手段は、前記記録メディアデータベースを検索することにより、楽曲が再生中の前記第１の記録メディアに含まれるシングルカットされた楽曲の有無を判定し、
前記ジャケット画像抽出手段は、前記記録メディアデータベースを検索することにより、再生中の楽曲が収録された前記第１の記録メディアに対応する前記第１のジャケット画像と、シングルカットされた楽曲が収録された前記第２の記録メディアに対応する前記第２のジャケット画像を抽出することを特徴とするオーディオシステム。
【請求項３】
請求項１または２において、
前記楽曲再生手段と前記ジャケット画像表示手段は、車載のオーディオ装置に備わっており、
前記楽曲判定手段と前記ジャケット画像抽出手段は、前記オーディオ装置とネットワークを介して接続された車外設置のオーディオサーバに備わっており、
前記オーディオ装置と前記オーディオサーバとの間を通信手段で接続することを特徴とするオーディオシステム。
【請求項４】
請求項１〜３のいずれかにおいて、
前記ジャケット画像表示手段は、前記第１の記録メディアに含まれた楽曲の中で前記第２の記録メディアにも収録されている楽曲が前記楽曲再生手段によって再生されているときに前記第２のジャケット画像を表示し、前記第２の記録メディアに収録されていない楽曲が前記楽曲再生手段によって再生されているときに前記第１のジャケット画像を表示することを特徴とするオーディオシステム。
【請求項５】
楽曲を再生してオーディオ信号を出力する楽曲再生手段と、
前記楽曲再生手段によって楽曲が再生中に、この楽曲が収録された第１の記録メディアに収録された各楽曲のアーティストを判定するアーティスト判定手段と、
前記第１の記録メディアに対応する第１のジャケット画像を抽出するとともに、前記アーティスト判定手段によって判定されたアーティストが提供している第１の記録メディア以外の第２の記録メディアに対応する第２のジャケット画像を抽出するジャケット画像抽出手段と、
前記第１の記録メディアに収録された複数の楽曲を再生中に、前記ジャケット画像抽出手段によって抽出された前記第１および第２のジャケット画像を表示するジャケット画像表示手段と、
を備えることを特徴とするオーディオシステム。
【請求項６】
請求項５において、
収録された各楽曲の再生時間および再生順番、対応するジャケット画像、各楽曲に対応するアーティスト名、各楽曲の曲名を複数の前記第１の記録メディアのそれぞれについて格納するとともに、収録された各楽曲に対応するアーティスト名、各楽曲の曲名、対応するジャケット画像を複数の第２の記録メディアのそれぞれについて格納する記録メディアデータベースをさらに備え、
前記アーティスト判定手段は、前記記録メディアデータベースを検索することにより、楽曲が再生中の前記第１の記録メディアに含まれる各楽曲のアーティストを判定し、
前記ジャケット画像抽出手段は、前記記録メディアデータベースを検索することにより、再生中の楽曲が収録された前記第１の記録メディアに対応する前記第１のジャケット画像と、前記第１の記録メディアとアーティストが共通する前記第２の記録メディアに対応する前記第２のジャケット画像を抽出することを特徴とするオーディオシステム。
【請求項７】
請求項５または６において、
前記楽曲再生手段と前記ジャケット画像表示手段は、車載のオーディオ装置に備わっており、
前記アーティスト判定手段と前記ジャケット画像抽出手段は、前記オーディオ装置とネットワークを介して接続された車外設置のオーディオサーバに備わっており、
前記オーディオ装置と前記オーディオサーバとの間を通信手段で接続することを特徴とするオーディオシステム。
【発明の詳細な説明】
【技術分野】
【０００１】
本発明は、楽曲再生中にこの楽曲が収録された記録メディアのジャケット画像を表示するオーディオシステムに関する。
【背景技術】
【０００２】
多数のＣＤ（コンパクトディスク）の中から一のＣＤを特定する場合に、そのＣＤに添付されたジャケットの画像を手がかりにする再生装置が知られている（例えば、特許文献１参照。）。このようにＣＤのジャケット画像は、そのＣＤの内容を連想するために有効な情報であり、ＣＤに記録されている楽曲を再生中もこのジャケット画像を表示することにより、再生中の楽曲のアーティストやジャケット購入時の出来事等を思い出すことができるため、視覚的に再生動作に変化を持たせることが可能になる。
【特許文献１】特開平９−３１１７９９号公報（第３−６頁、図１−８）
【発明の開示】
【発明が解決しようとする課題】
【０００３】
ところで、再生動作中にジャケット画像を表示する場合であってＣＤが１０曲前後の楽曲が収録されたアルバムである場合には、１枚のＣＤ全体の再生時間が１時間近くかかるものもある。このような場合に、このＣＤに対応した同じジャケット画像の表示を継続すると、表示が単調になるという問題があった。
【０００４】
本発明は、このような点に鑑みて創作されたものであり、その目的は、楽曲生成中に視覚的に単調になることを防止することができるオーディオシステムを提供することにある。
【課題を解決するための手段】
【０００５】
上述した課題を解決するために、本発明のオーディオシステムは、楽曲を再生してオーディオ信号を出力する楽曲再生手段と、楽曲再生手段によって楽曲が再生中に、この楽曲が収録された第１の記録メディアに収録された他の楽曲を判定する楽曲判定手段と、第１の記録メディアに対応する第１のジャケット画像を抽出するとともに、楽曲判定手段によって判定された他の楽曲の中で、シングルカットされた楽曲が存在するときに、このシングルカットされた楽曲が収録された第２の記録メディアに対応する第２のジャケット画像を抽出するジャケット画像抽出手段と、第１の記録メディアに収録された複数の楽曲を再生中に、ジャケット画像抽出手段によって抽出された第１および第２のジャケット画像を表示するジャケット画像表示手段とを備えている。これにより、ＣＤ等に収録された複数の楽曲を再生する際に、このＣＤ等のアルバムのジャケット画像だけでなく、このＣＤ等に含まれるシングルカットされた楽曲のジャケット画像を表示することができるため、長時間に渡って一つのジャケット画像が表示されることがなく、楽曲再生中に視覚的に単調になることを防止することができる。
【０００６】
また、収録された各楽曲に対応するアーティスト名、各楽曲の曲名、対応するジャケット画像を複数の第１の記録メディアのそれぞれについて格納するとともに、収録された各楽曲に対応するアーティスト名、各楽曲の曲名、対応するジャケット画像を複数の第２の記録メディアのそれぞれについて格納する記録メディアデータベースをさらに備え、楽曲判定手段は、記録メディアデータベースを検索することにより、楽曲が再生中の第１の記録メディアに含まれるシングルカットされた楽曲の有無を判定し、ジャケット画像抽出手段は、記録メディアデータベースを検索することにより、再生中の楽曲が収録された第１の記録メディアに対応する第１のジャケット画像と、シングルカットされた楽曲が収録された第２の記録メディアに対応する第２のジャケット画像を抽出することが望ましい。これにより、ＣＤ等の内容を検索してシングルカットされた楽曲を調べるとともに、アルバムのＣＤ等のジャケット画像とともにシングルカットされた楽曲のＣＤ等のジャケット画像を取得することが可能になる。
【０００７】
また、上述した楽曲再生手段とジャケット画像表示手段は、車載のオーディオ装置に備わっており、楽曲判定手段とジャケット画像抽出手段は、オーディオ装置とネットワークを介して接続された車外設置のオーディオサーバに備わっており、オーディオ装置とオーディオサーバとの間を通信手段で接続することが望ましい。これにより、車外のオーディオサーバからアルバムのＣＤ等のジャケット画像やシングルカットされた楽曲のＣＤ等のジャケット画像を必要に応じて入手することができ、ジャケット画像およびこのジャケット画像を抽出するための各種情報を車載のオーディオ装置自身が保持しておく必要がないため、オーディオ装置の構成の簡素化が可能になる。
【０００８】
また、上述したジャケット画像表示手段は、第１の記録メディアに含まれた楽曲の中で第２の記録メディアにも収録されている楽曲が楽曲再生手段によって再生されているときに第２のジャケット画像を表示し、第２の記録メディアに収録されていない楽曲が楽曲再生手段によって再生されているときに第１のジャケット画像を表示することが望ましい。これにより、アルバムのＣＤ等に含まれるシングルカットされた楽曲の再生タイミングに合わせてこのシングルカットされたＣＤ等のジャケット画像を表示することができ、再生対象となる楽曲と表示対象となるジャケット画像との対応が不自然になることを防止することができる。
【０００９】
また、本発明のオーディオシステムは、楽曲を再生してオーディオ信号を出力する楽曲再生手段と、楽曲再生手段によって楽曲が再生中に、この楽曲が収録された第１の記録メディアに収録された各楽曲のアーティストを判定するアーティスト判定手段と、第１の記録メディアに対応する第１のジャケット画像を抽出するとともに、アーティスト判定手段によって判定されたアーティストが提供している第１の記録メディア以外の第２の記録メディアに対応する第２のジャケット画像を抽出するジャケット画像抽出手段と、第１の記録メディアに収録された複数の楽曲を再生中に、ジャケット画像抽出手段によって抽出された第１および第２のジャケット画像を表示するジャケット画像表示手段とを備えている。これにより、ＣＤ等に収録された複数の楽曲を再生する際に、このＣＤ等のアルバムのジャケット画像だけでなく、同じアーティストが提供している他のＣＤ等のジャケット画像を表示することができるため、長時間に渡って一つのジャケット画像が表示されることがなく、楽曲再生中に視覚的に単調になることを防止することができる。
【００１０】
また、収録された各楽曲の再生時間および再生順番、対応するジャケット画像、各楽曲に対応するアーティスト名、各楽曲の曲名を複数の第１の記録メディアのそれぞれについて格納するとともに、収録された各楽曲に対応するアーティスト名、各楽曲の曲名、対応するジャケット画像を複数の第２の記録メディアのそれぞれについて格納する記録メディアデータベースをさらに備え、アーティスト判定手段は、記録メディアデータベースを検索することにより、楽曲が再生中の第１の記録メディアに含まれる各楽曲のアーティストを判定し、ジャケット画像抽出手段は、記録メディアデータベースを検索することにより、再生中の楽曲が収録された第１の記録メディアに対応する第１のジャケット画像と、第１の記録メディアとアーティストが共通する第２の記録メディアに対応する第２のジャケット画像を抽出することが望ましい。これにより、ＣＤ等の内容を検索して同じアーティストの他のＣＤ等を調べて、同じアーティストの複数のＣＤ等のジャケット画像を取得することが可能になる。
【００１１】
また、上述した楽曲再生手段とジャケット画像表示手段は、車載のオーディオ装置に備わっており、アーティスト判定手段とジャケット画像抽出手段は、オーディオ装置とネットワークを介して接続された車外設置のオーディオサーバに備わっており、オーディオ装置とオーディオサーバとの間を通信手段で接続することが望ましい。これにより、車外のオーディオサーバから同じアーティストの複数のＣＤ等のジャケット画像を必要に応じて入手することができ、ジャケット画像およびこのジャケット画像を抽出するための各種情報を車載のオーディオ装置自身が保持しておく必要がないため、オーディオ装置の構成の簡素化が可能になる。
【発明を実施するための最良の形態】
【００１２】
以下、本発明を適用した一実施形態のオーディオシステムついて、図面を参照しながら説明する。
【００１３】
図１は、一実施形態のオーディオシステムの全体構成を示す図である。図１に示すオーディオシステムは、各車両に搭載されたオーディ装置としてのＣＤプレーヤ１００と、ＣＤプレーヤ１００に対してアルバムＣＤ等のジャケット画像を提供するオーディオサーバ２００とを含んで構成されている。ＣＤプレーヤ１００とオーディオサーバ２００との間は、所定のネットワーク３００を介して接続されている。なお、本実施形態におけるネットワーク３００は、移動体電話網を含んで構成されており、移動中の車両に搭載されたＣＤプレーヤ１００とオーディオサーバ２００との間を相互に接続している。また、ＣＤプレーヤ１００とネットワーク３００の間は、車両に備わった移動体電話（図示せず）を用いて接続されている。
【００１４】
次に、ＣＤプレーヤ１００の詳細構成について説明する。図２は、ＣＤプレーヤ１００の詳細構成を示す図である。図２に示すＣＤプレーヤ１００は、第１の記録メディアとしてのＣＤ１０に記録された信号を読み取るためにスピンドルモータ１２、光ピックアップ１４、送りモータ１６およびサーボ回路１８と、読み取った信号に対して所定の処理を行った後に楽曲の再生を行うためにＲＦアンプ３０、デジタル信号処理回路３２、オーディオＤＡＣ（デジタル−アナログ変換器）３４と、ＣＤ１０等に対応するジャケット画像の表示を行うために表示処理部４０、ビデオＤＡＣ４２と、ＣＤプレーヤ１００の全体を制御するシステムコントローラ５０と、利用者が各種の指示を入力する操作部５２と、ＣＤプレーヤ１００とオーディオサーバ２００との間で通信を行う通信処理部５４とを含んで構成されている。
【００１５】
スピンドルモータ１２は、ＣＤ１０を一定の線速度で回転させる。光ピックアップ１４は、ＣＤ１０に記録されたデータを検出するものであり、通常は半導体レーザとホトダイオードとを組み合わせて用いている。送りモータ１６は、光ピックアップ１４をＣＤ１０の径方向に移動させる。サーボ回路１８は、上述したスピンドルモータ１２および送りモータ１６を駆動するとともに、光ピックアップ１４に内蔵されたフォーカスレンズ（図示せず）を動かすことにより半導体レーザの焦点位置をＣＤ１０の記録面と垂直方向に移動させる。また、サーボ回路１８は、ＣＤ１０からのデータの読み取りに必要な各種のサーボ（フォーカスサーボ、トラッキングサーボ、回転サーボ）制御を行う。
【００１６】
ＲＦアンプ３０は、光ピックアップ１４の検出信号に基づいて、ＥＦＭ（Eight to Fourteen Modulation）信号、フォーカスエラー信号、ＣＬＶ（Constant Linear Velocity）制御信号等を作成する。デジタル信号処理回路３２は、ＲＦアンプ３０から出力されるＥＦＭ信号に対して、同期検出およびＥＦＭ復調を行った後、ＣＩＲＣ（Cross Interleaved Reed-Solomon Code ）デコード処理を行い、制御データやデジタルの音楽データを出力する。オーディオＤＡＣ３４は、デジタル信号処理回路３２から入力される音楽データをアナログオーディオ信号に変換して楽曲の再生を行う。再生されたアナログオーディオ信号は、ＣＤプレーヤ１００の外部に接続されたオーディオアンプ９０で増幅されてスピーカ９２から出力される。
【００１７】
表示処理部４０は、オーディオサーバ２００から送られてくるジャケット画像データが通信処理部５４によって受信されると、このジャケット画像を描画する処理を行い、ジャケット画像描画データを出力する。ビデオＤＡＣ４２は、表示処理部４０から入力される描画データを表示に適したアナログ映像信号に変換する。変換されたアナログ映像信号は、ＣＤプレーヤ１００の外部に接続されたディスプレイ装置９４に表示される。
【００１８】
システムコントローラ５０は、サーボ回路１８に対して各種のサーボ指令を出力したり、デジタル信号処理回路３２から出力される制御データであるＴＯＣ（Table of Contents ）情報等を受け取って解析することにより楽曲再生に必要な各種の制御を行う。また、システムコントローラ５０は、このＴＯＣ情報の一部（アルバムＣＤの特定に必要な情報のみ）を通信処理部５４を介してオーディオサーバ２００に向けて送信する。
【００１９】
次に、オーディオサーバ２００の詳細構成について説明する。図１に示すように、オーディオサーバ２００は、サーバ制御部２１０、オーディオＤＢ（データベース）２２０、通信処理部２３０を含んで構成されている。サーバ制御部２１０は、ＣＤプレーヤ１００に対して必要なジャケット画像を検索して送信するためにオーディオサーバ２００の全体を制御するためのものであり、楽曲判定部２１２、アーティスト判定部２１４、ジャケット画像抽出部２１６を備えている。このサーバ制御部２１０は、ＣＰＵ、ＲＯＭ、ＲＡＭなどを含むコンピュータとしての構成を有しており、ＲＯＭあるいはＲＡＭに格納された所定のプログラムを実行することにより所定の制御動作を行う。
【００２０】
楽曲判定部２１２は、ＣＤプレーヤ１００で再生中のアルバムのＣＤ１０に収録された複数の楽曲を抽出するとともに、その中にシングルカットされた楽曲が存在するか否かを判定する。アーティスト判定部２１４は、ＣＤプレーヤ１００で再生中のアルバムのＣＤ１０の各楽曲のアーティストを特定する。ＣＤ１０が一人のアーティストに対応する場合にはこの一人のアーティストが特定され、ＣＤ１０に含まれる複数の楽曲が複数のアーティストに対応する場合にはこれら複数のアーティストが特定される。ジャケット画像抽出部２１６は、ＣＤプレーヤ１００で再生中のアルバムのＣＤ１０に対応するジャケット画像を抽出するととともに、楽曲判定部２１２によってシングルカットされた楽曲が存在すると判定されたときにこのシングルカットされた楽曲のＣＤ（シングルＣＤ）のジャケットを抽出する。あるいは、ジャケット画像抽出部２１６は、ＣＤプレーヤ１００で再生中のアルバムのＣＤ１０に対応するジャケット画像を抽出するととともに、アーティスト判定部２１４によって再生中のアルバムＣＤと同じアーティストによるその他のアルバムＣＤのジャケット画像を抽出する。
【００２１】
オーディオＤＢ２２０には、収録された各楽曲に対応するアーティスト名、各楽曲の曲名、シングルカットされているか否かの情報、対応するジャケット画像等の各種の検索に必要な情報が、現在までに販売された多くのアルバムＣＤ、シングルＣＤのそれぞれについて格納されている。サーバ制御部２１０内の楽曲判定部２１２、アーティスト判定部２１４、ジャケット画像抽出部２１６は、このオーディオＤＢ２２０に格納された各種の情報に基づいて必要な検索、判定、抽出動作を行っている。通信処理部２３０は、オーディオサーバ２００がネットワーク３００を介してＣＤプレーヤ１００との間でデータ通信を行うために必要な処理を行う。
【００２２】
上述したスピンドルモータ１２、光ピックアップ１４、送りモータ１６、サーボ回路１８と、ＲＦアンプ３０、デジタル信号処理回路３２、オーディオＤＡＣ３４と、システムコントローラ５０が楽曲再生手段に、楽曲判定部２１２が楽曲判定手段に、アーティスト判定部２１４がアーティスト判定手段に、ジャケット画像抽出部２１６がジャケット画像抽出手段に、表示処理部４０、ビデオＤＡＣ４２がジャケット画像表示手段に、オーディオＤＢ２２０が記録メディアデータベースに、通信処理部５４が通信手段にそれぞれ対応する。
【００２３】
本実施形態のオーディオシステムはこのような構成を有しており、次にその動作を説明する。図３は、アルバムのＣＤ１０を再生する際にこのＣＤ１０にシングルカットされた楽曲が収録されているときにこのシングルカットされた楽曲のＣＤジャケット画像も合わせて表示する場合のＣＤプレーヤ１００における再生動作を示す流れ図である。
【００２４】
システムコントローラ５０は、ＣＤ１０の再生が指示されたか否かを判定しており（ステップ１００）、再生が指示されるまで否定判断を行ってこの判定を繰り返す。利用者によって操作部５２が操作されて再生が指示されるとステップ１００の判定において肯定判断が行われ、次に、システムコントローラ５０は、ＣＤ１０のＴＯＣ情報を読み取って（ステップ１０１）、通信処理部５４を介してオーディオサーバ２００に向けて送信する（ステップ１０２）。その後、オーディオサーバ２００から送り返されてくる検索結果を受信する（ステップ１０３）。この検索結果には、ＣＤ１０のジャケット画像と、ＣＤ１０にシングルカットされた楽曲が含まれている場合にはその楽曲を特定する情報とともにシングルカットされた楽曲のシングルＣＤのジャケット画像とが含まれている。
【００２５】
次に、システムコントローラ５０は、ＣＤ１０に収録された楽曲の再生を開始するとともに（ステップ１０４）、送り返されてきた検索結果に基づいて、再生中の楽曲はシングルカットされたものであるか否かを判定する（ステップ１０５）。シングルカットされた楽曲でない場合には否定判断が行われ、次に、システムコントローラ５０は、表示処理部４０に指示を送って、再生中のＣＤ１０のジャケット画像を表示する（ステップ１０６）。例えば、オーディオサーバ２００から送り返されてきた検索結果に含まれる各種のジャケット画像は、表示処理部４０内（あるいは外部のメモリ等）に格納されており、システムコントローラ５０からの指示に応じて該当するジャケット画像に対応する描画処理が実施されるようになっている。
【００２６】
また、再生中の楽曲がシングルカットされたものである場合にはステップ１０５の判定において肯定判断が行われ、次に、システムコントローラ５０は、このシングルカットされた楽曲を指定して表示処理部４０に指示を送って、対応するシングルＣＤのジャケット画像を表示する（ステップ１０７）。
【００２７】
このようにしてＣＤ１０のジャケット画像あるいはシングルＣＤのジャケット画像が表示された後に、システムコントローラ５０は、ＣＤ１０の全ての楽曲の再生が終了したか否かを判定する（ステップ１０８）。終了していない場合には否定判断が行われ、ステップ１０５に戻って処理が繰り返される。また、ＣＤ１０の全ての楽曲の再生が終了するとステップ１０８の判定において肯定判断が行われ、ジャケット画像表示に関する一連の動作が終了する。
【００２８】
図４は、図３に示したＣＤプレーヤ１００の動作に対応するオーディオサーバ２００の動作を示す流れ図である。サーバ制御部２１０内の楽曲判定部２１２は、ＣＤプレーヤ１００からＴＯＣ情報を受信したか否かを判定しており（ステップ２００）、受信していない場合には否定判断を行ってこの判定を繰り返す。また、ＴＯＣ情報を受信するとステップ２００の判定において肯定判断が行われ、次に、楽曲判定部２１２は、受信したＴＯＣ情報と一致するＴＯＣ情報を有するアルバムＣＤを検索するとともに（ステップ２０１）、この検索されたアルバムＣＤにシングルカットされた楽曲が含まれているか否かを判定する（ステップ２０２）。アルバムＣＤが特定されたときに、その中にどのような楽曲が収録されており、シングルカットされた楽曲が含まれているか否かはオーディオＤＢ２２０に格納された情報に基づいて知ることができる。シングルカットされた楽曲が含まれていない場合にはステップ２０２の判定において否定判断が行われ、次に、ジャケット画像抽出部２１６は、ＣＤプレーヤ１００において再生中（あるいは再生開始が指示された）のＣＤ１０のジャケット画像を抽出する（ステップ２０３）。一方、シングルカットされた楽曲が含まれている場合にはステップ２０２の判定において肯定判断が行われ、つぎに、ジャケット画像抽出部２１６は、ＣＤプレーヤ１００において再生中のＣＤ１０のジャケット画像とともに、シングルカットされた楽曲が収録されたシングルＣＤのジャケット画像を抽出する（ステップ２０４）。このようにしてステップ２０３あるいはステップ２０４において抽出されたジャケット画像は、検索結果として通信処理部２３０を介してＣＤプレーヤ１００に送り返される（ステップ２０５）。
【００２９】
図５は、ＣＤ１０に収録された各楽曲の再生タイミングとジャケット画像の表示内容との関係を示す図である。図５に示す例では、ＣＤ１０に７つの楽曲１〜７が含まれており、再生順番が２番目と６番目の楽曲がシングルカットされているものとする。ｓはシングルカットされた楽曲であることを、ａはアルバムＣＤのみに収録されていてシングルカットされていない楽曲であることを示している。このような再生動作において、シングルカットされた楽曲が再生中にこのシングルカットされた楽曲が収録されたシングルＣＤのジャケットＳが表示され、それ以外の楽曲が再生中にＣＤ１０のジャケットＡが表示される。
【００３０】
このように、本実施形態では、ＣＤ１０に収録された複数の楽曲を再生する際に、このＣＤ１０のアルバムのジャケット画像だけでなく、このＣＤ１０に含まれるシングルカットされた楽曲が収録されたシングルＣＤのジャケット画像を表示することができるため、長時間に渡って一つのジャケット画像が表示されることがなく、楽曲再生中に視覚的に単調になることを防止することができる。
【００３１】
また、車外のオーディオサーバ２００からＣＤ１０のジャケット画像やシングルカットされた楽曲のＣＤのジャケット画像を必要に応じて入手することができ、ジャケット画像およびこのジャケット画像を抽出するための各種情報を車載のＣＤプレーヤ１００自身が保持しておく必要がないため、ＣＤプレーヤ１００のの構成の簡素化が可能になる。
【００３２】
また、ＣＤ１０に含まれるシングルカットされた楽曲の再生タイミングに合わせてこのシングルカットされたＣＤのジャケット画像を表示することにより、再生対象となる楽曲と表示対象となるジャケット画像との対応が不自然になることを防止することができる。
【００３３】
ところで、上述した説明では、ＣＤ１０に収録された楽曲の中にシングルカットされた楽曲が含まれる場合に、そのシングルカットされた楽曲が収録されたシングルＣＤのジャケット画像を表示するようにしたが、同一のジャケット画像の継続的な表示を防止する趣旨からすると、ＣＤ１０と同じアーティストの他のアルバムＣＤ（シングルＣＤも含めるようにしてもよい）のジャケット画像を表示するようにしてもよい。
【００３４】
図６は、アルバムのＣＤ１０を再生する際にこのＣＤ１０と同じアーティストが提供している他のＣＤのジャケット画像を合わせて表示する場合のＣＤプレーヤ１００における再生動作を示す流れ図である。図６に示す流れ図は、図３に示す流れ図と検索結果を受信するステップ１０３の動作までは同じであるため、その次の動作手順から説明を行うものとする。また、オーディオサーバ２００から送り返されてくる検索結果には、ＣＤ１０のジャケット画像の他に、同じアーティストの他のＣＤが販売されている場合にはこの他のＣＤのジャケット画像も含まれている。
【００３５】
検索結果を受信すると、次に、システムコントローラ５０は、検索結果に含まれるジャケット画像の数に基づいて各ジャケット画像の表示間隔を計算する（ステップ１１０）。例えば、ＣＤ１０の合計再生時間をジャケット画像の数で割り算をすることにより、ジャケット画像１枚ごとの表示時間が計算される。
【００３６】
次に、システムコントローラ５０は、ＣＤ１０に収録された楽曲の再生を開始するとともに（ステップ１１１）、表示処理部４０に指示を送って最初のジャケット画像を表示する（ステップ１１２）。例えば、最初はＣＤ１０のジャケット画像が表示される。次に、システムコントローラ５０は、ジャケット画像の表示切り替えタイミングか否かを判定する（ステップ１１３）。表示切り替えのタイミングでない場合には否定判断が行われ、次に、システムコントローラ５０は、ＣＤ１０の全ての楽曲の再生が終了したか否かを判定する（ステップ１１４）。終了していない場合には否定判断が行われ、ステップ１１３に戻って処理が繰り返される。また、ジャケット画像の表示切り替えのタイミングになるとステップ１１３の判定において肯定判断が行われ、システムコントローラ５０は、表示処理部４０に指示を送って次のジャケット画像を表示する（ステップ１１５）。その後、ステップ１１４の終了判定に移行する。また、ＣＤ１０の全ての楽曲の再生が終了するとステップ１１４の判定において肯定判断が行われ、ジャケット画像表示に関する一連の動作が終了する。
【００３７】
図７は、図６に示したＣＤプレーヤ１００の動作に対応するオーディオサーバ２００の動作を示す流れ図である。図７に示す流れ図は、図４に示す流れ図とＴＯＣ情報が一致するＣＤを検索するステップ２０１の動作までは同じであるため、その次の動作手順から説明を行うものとする。
【００３８】
次に、アーティスト判定部２１４は、送られてきたＴＯＣ情報に基づいて検索されたＣＤと同じアーティストの他のＣＤが存在するか否かを判定する（ステップ２１０）。存在しない場合には否定判断が行われ、次に、ジャケット画像抽出部２１６は、ＣＤプレーヤ１００において再生中のＣＤ１０のジャケット画像を抽出する（ステップ２１１）。一方、再生中のＣＤ１０のアーティストが他のＣＤもだしている場合にはステップ２１０の判定において肯定判断が行われ、次に、ジャケット画像抽出部２１６は、このアーティストに対応する全てのＣＤのジャケット画像を抽出する（ステップ２１２）。このようにしてステップ２１１あるいはステップ２１２において抽出されたジャケット画像は、検索結果として通信処理部２３０を介してＣＤプレーヤ１００に送り返される（ステップ２１３）。
【００３９】
図８は、ＣＤ１０に収録された各楽曲の再生タイミングとジャケット画像の表示内容との関係を示す図である。図８に示す例では、ＣＤ１０に７つの楽曲１〜７が含まれており、このＣＤ１０のアーティストが他に３枚のＣＤをだしているものとする。ジャケット画像は全部で４枚（Ａ１〜Ａ４）となるため、全体の再生時間を４で割り算して、１枚のジャケット画像の表示時間が計算される。なお、図８に示す例では、全体の再生時間を４等分して１枚のジャケット画像の表示時間を決定したが、再生中のＣＤ１０のジャケット画像の表示時間を他のジャケット画像よりも長く設定したり、各楽曲の再生タイミングに合わせて４枚のジャケット画像を順番に表示させるようにしてもよい。この場合には、５番目の楽曲の再生が始まると、１枚目のジャケット画像に戻って表示を繰り返せばよい。
【００４０】
このように、本実施形態では、ＣＤ１０に収録された複数の楽曲を再生する際に、このＣＤ１０のジャケット画像だけでなく、同じアーティストが提供している他のＣＤのジャケット画像を表示することができるため、長時間に渡って一つのジャケット画像が表示されることがなく、楽曲再生中に視覚的に単調になることを防止することができる。
【００４１】
また、車外のオーディオサーバ２００から同じアーティストの複数のＣＤのジャケット画像を必要に応じて入手することができ、ジャケット画像およびこのジャケット画像を抽出するための各種情報を車載のＣＤプレーヤ１００自身が保持しておく必要がないため、ＣＤプレーヤ１００の構成の簡素化が可能になる。
【００４２】
なお、本発明は上記実施形態に限定されるものではなく、本発明の要旨の範囲内において種々の変形実施が可能である。例えば、上述した実施形態では、ＣＤ１０に収録された楽曲を再生中にジャケット画像を表示するようにしたが、ＭＤやＤＶＤオーディオ等の他の記録メディアに記録された楽曲を再生中にジャケット画像を表示する場合にも本発明を適用することができる。この場合に、ＭＤに収録された楽曲を再生中にＣＤのジャケット画像を表示したり、反対に、ＣＤに収録された楽曲を再生中にＭＤのジャケット画像を表示してもよい。また、記録メディアは、プレーヤに挿抜可能なディスク型記録媒体に限定されず、ハードディスク装置や半導体メモリ等に収録（記録）された楽曲を再生中にＣＤやＭＤのジャケット画像を表示するようにしてもよい。
【００４３】
また、上述した実施形態では、ＴＯＣ情報を用いてＣＤを特定したが、楽曲の最初の音楽データ自体を、あらかじめ登録されている各ＣＤの楽曲の最初の音楽データと比較して一致判定を行ってＣＤを特定するようにしてもよい。
【００４４】
なた、上述した実施形態では、車載のＣＤプレーヤ１００について考えたが、車載以外のＣＤプレーヤ等において楽曲を再生する場合に本発明を適用することもできる。例えば、家庭用ＣＤプレーヤやパーソナルコンピュータを用いてＣＤを再生する際にジャケット画像を表示する場合に本発明を適用することもできる。
【図面の簡単な説明】
【００４５】
【図１】一実施形態のオーディオシステムの全体構成を示す図である。
【図２】ＣＤプレーヤの詳細構成を示す図である。
【図３】シングルカットされた楽曲のＣＤジャケット画像を合わせて表示する場合のＣＤプレーヤにおける再生動作を示す流れ図である。
【図４】図３に示したＣＤプレーヤの動作に対応するオーディオサーバの動作を示す流れ図である。
【図５】ＣＤに収録された各楽曲の再生タイミングとジャケット画像の表示内容との関係を示す図である。
【図６】同じアーティストが提供している複数のＣＤのジャケット画像を合わせて表示する場合のＣＤプレーヤにおける再生動作を示す流れ図である。
【図７】図６に示したＣＤプレーヤの動作に対応するオーディオサーバの動作を示す流れ図である。
【図８】ＣＤに収録された各楽曲の再生タイミングとジャケット画像の表示内容との関係を示す図である。
【符号の説明】
【００４６】
１０  ＣＤ
１２  スピンドルモータ
１４  光ピックアップ
１６  送りモータ
１８  サーボ回路
３０  ＲＦアンプ
３２  デジタル信号処理回路
３４  オーディオＤＡＣ
４０  表示処理部
４２  ビデオＤＡＣ
５０  システムコントローラ
５２  操作部
５４、２３０  通信処理部
１００  ＣＤプレーヤ
２００  オーディオサーバ
２１０  サーバ制御部
２１２  楽曲判定部
２１４  アーティスト判定部
２１６  ジャケット画像抽出部
２２０  オーディオＤＢ（データベース）
３００  ネットワーク
【図１】
2006065967.tif 000003
【図２】
2006065967.tif 000004
【図３】
2006065967.tif 000005
【図４】
2006065967.tif 000006
【図５】
2006065967.tif 000007
【図６】
2006065967.tif 000008
【図７】
2006065967.tif 000009
【図８】
2006065967.tif 000010